(57)【要約】【課題】異なる使用目的への汎用性と個人への適合性とを有し、人体への安全性を確保すると同時に、乳房を失った女性のメンタルケアにも寄与することができるバストパッドを提供する。【解決手段】乳房の形状及び重量を補整するためのバストパッド１であって、乳房の膨らみを模した形状に成形され、成形された形状の保持及び復元が可能な薄いシート材２１を有する上側パッド部２０と、この上側パッド部２０に対応する外形を有し、表裏布地３２ａ、３２ｂの内部に厚い不織布３１を圧縮した状態で封入した下側パッド部３０と、通気性を有する小袋４１内に多数の粒状宝石４２を移動可能に収納した重量調整部材４０と、を備え、上側及び下側パッド部２０、３０の周縁部を互いに接合し、周縁部の一部に開口部１１を形成しつつ、全体を中空の軽量パッド１０とし、開口部１１を介して軽量パッド１の中空部１２内に重量調整部材４０を出し入れ可能に収納した構成としてある。【選択図】図２
2011160909.tif 000002
【特許請求の範囲】
【請求項１】
乳房の形状及び重量を補整するために、ブラジャーのカップ内に収納して用いられるバストパッドであって、
乳房の膨らみを模した形状に成形され、成形された形状の保持及び復元が可能な薄いシート材を有する上側パッド部と、
この上側パッド部に対応する外形を有し、表裏布地の内部に厚い不織布を圧縮した状態で封入した下側パッド部と、
通気性を有する小袋内に多数の粒状宝石を移動可能に収納した重量調整部材と、
を備え、
前記上側及び下側パッド部の周縁部を互いに接合し、前記周縁部の一部に開口部を形成しつつ、全体を中空の軽量パッドとし、前記開口部を介して前記軽量パッドの中空内に前記重量調整部材を出し入れ可能に収納した、ことを特徴とするバストパッド。
【請求項２】
前記重量調整部材の粒状宝石を貴石及び／又は半貴石に分類される宝石とした、請求項１記載のバストパッド。
【請求項３】
前記重量調整部材の小袋をメッシュ素材で形成し、その内部に収納した前記粒状宝石を視認可能とした、請求項１又は２記載のバストパッド。
【請求項４】
前記重量調整部材の小袋を開閉可能とし、前記粒状宝石の増減及び交換を可能とした、請求項１〜３いずれか１項に記載のバストパッド。
【請求項５】
前記上側パッド部の薄いシート材をウレタンフォーム製とした、請求項１〜４いずれか１項に記載のバストパッド。
【請求項６】
前記下側パッド部の不織布を封入前の肉厚の１／２以下に圧縮して封入した、請求項１〜５いずれか１項に記載のバストパッド。
【請求項７】
前記軽量パッドの中空内に、ボリューム調整用の他の不織布を入れた、請求項１〜６いずれか１項に記載のバストパッド。
【発明の詳細な説明】
【技術分野】
【０００１】
本発明は、乳房の形や大きさを補填するためのバストパッドに関し、特に、乳房を切除した女性に好適なバストパッドに関する。
【背景技術】
【０００２】
乳癌のために乳房の全部又は一部を切除した女性は、乳房を失ったことに対する心理的苦痛や、体の左右バランスが崩れてしまうといった肉体的苦痛に悩まされる。このような乳房切除後の苦痛を少しでも緩和すべく、乳房補整用のバストパッドが普及している。
【０００３】
従来のバストパットは、シリコン製のものと（例えば、特許文献１）、ウレタンフォーム製のも（例えば、特許文献２）のとが主流であり、切除後の乳房の状態や使用目的に応じていずれかのタイプを選択していた。図６は従来のシリコン製バストパッドを示すものであり、同図（ａ）は平面図、同図（ｂ）は背面側から見た斜視図である。同様に、図７は従来のウレタンフォーム製バストパッドを示すものであり、同図（ａ）は平面図、同図（ｂ）は背面側から見た斜視図である。以下、従来のバストパッドについて、図６及び７を参照しつつ説明する。
【０００４】
図６（ａ）及び（ｂ）において、シリコン製バストパッド１００は、シリコンゲル素材で乳房を模した構成となっており、その内部を中実とし又はエアバッグを内蔵することで適度な重量をもたせている。シリコン製バストパッド１００の重量は、例えば、平均的な乳房と同等、２／３又は１／２程度に設定されていた。このようなシリコン製バストパッド１００は、ブラジャーのカップ内に収納して使用し、切除後の乳房の形状、及び左右乳房の重量バランスを補整することができるとともに、乳房の揺れを再現することも可能である。
【０００５】
一方、図７（ａ）及び（ｂ）において、ウレタンフォーム製バストパッド２００は、薄いウレタン素材を成形して乳房の外形のみを模した構成となっており、ブラジャーのカップ内に収納することで、切除後の乳房の形状を補整することができる。このようなウレタンフォーム製バストパッド２００は、重量が４０〜５０ｇ程度と極めて軽く、日常生活でリラックスしたいときやスポーツをするときなどに用いられる（特許文献２）。
【０００６】
また、上記以外の構成のバストパッドとしては、特許文献３及び４に開示されているようなものがある。まず、特許文献３のバストパッドは、その図２に示されているように、ブラジャー４のカップ部３に形成した中空のポケット内に、ポリウレタンフォームからなるボデー部材１０を収納した構成となっている。このボデー部材１０は、中空の室３６を有しており、この室３６内には、多数の鉛玉からなるおもり部材４０を収納してある。このおもり部材４０は、袋状の膨張製球状部材４２内に密封されている。
【０００７】
このような特許文献３のバストパッドでは、ブラジャー４を装着したときに、使用者の胸部とおもり部材４０との間に間隔が形成される。これにより、おもり部材４０がブラジャーストラップ６に引張力を発生させ、この結果、おもり部材４０を平均の乳房よりも軽くした場合でも、使用者に重量を感じさせることが可能となる。
【０００８】
次いで、特許文献４のバストパッドは、その図２に示されるように、乳房の外形を形成する上地１１、１０及び５と、使用者の胸部に接触する下地５及び４との間に、化成粒面１８、プラスチックビーズ１７及び淡水産天然パール１６を封入した構成となっている。
【０００９】
このような特許文献４のバストパッドでは、上地の不織布（中間層）１０が乳房の外形を形成し、プラスチックビーズ１７及び淡水産天然パール１６が重量を付与している。淡水産天然パール１６には、プラスチックビーズ１７の帯電を防止する効果があり、プラスチックビーズ１７が静電気で固まることがなく、ビーズの動きで乳房の揺れを再現することができる。
【先行技術文献】
【特許文献】
【００１０】
【特許文献１】特開平９−２９９３８８号公報
【特許文献２】特開２００８−１８８１３２号公報
【特許文献３】特表平３−５０１６９２号公報
【特許文献４】特開２００９−２５４８１３号公報
【発明の概要】
【発明が解決しようとする課題】
【００１１】
ところが、従来のシリコン製及びウレタンフォーム製バストパッドは、互いに異なる使用目的及び構成であったために、一方のパッドによって他方の使用目的を充足することができないという問題があった。すなわち、シリコン製バストパットでは、ウレタンフォーム製バストパッドのような軽さを得ることができず、逆に、ウレタンフォーム製バストパッドでは、左右乳房の重量バランスを補整したり、乳房の揺れを再現したりすることができない。このため、両パッドの異なる使用目的を充足するために、使用者は、両パッドを購入し、状況に応じて使い分けなければならなかった。
【００１２】
また、従来のシリコン製及びウレタンフォーム製バストパッドは、いずれも使用者の体型の変化や好みの変化に応じて、外観ボリュームや重量を調整することができないという問題があった。このため、使用者は、乳房切除後の最初の段階でタイプやサイズの異なるバストパッドを複数試して好みに合うものを見付けなければならず、たとえ好みに合うバストバットが見付かった場合でも、その後に体型や好みに変化が生じた場合には、再度、体型や好みに合うバストバッドを買い足さなければならなかった。
【００１３】
さらに、特許文献３及び４では、鉛玉、プラスチックビーズ、淡水産天然パールをパッド内に封入しているので、これらおもりを事後的に増減させて重量を調整することはできない。これに加えて、特許文献３の鉛玉は人体に有害な金属であり、他の金属に変更した場合でも金属アレルギーのアレルゲンとなるおそれがある。また、特許文献４のプラスチックビーズは、プラスチック材料や製法によっては内分泌攪乱物質（いわゆる環境ホルモン）の漏洩が懸念される。
【００１４】
これに加え、特許文献１〜４を含む従来の全てのバストパッドは、切除した乳房の形状や重量の補整といった身体的特徴の復元にのみ着目しており、乳房を失った女性の心の傷を癒し、前向きな気持ちにさせるようなメンタルケアの工夫が一切なされていなかった。
【００１５】
本発明は、上記問題点に鑑みてなされたものであり、異なる使用目的への汎用性と個人への適合性とを有し、人体への安全性を確保すると同時に、乳房を失った女性のメンタルケアにも寄与することができるバストパッドの提供を目的とする。
【課題を解決するための手段】
【００１６】
上記目的を達成するために、本発明に係るバストパッドは、乳房の形状及び重量を補整するために、ブラジャーのカップ内に収納して用いられるバストパッドであって、乳房の膨らみを模した形状に成形され、成形された形状の保持及び復元が可能な薄いシート材を有する上側パッド部と、この上側パッド部に対応する外形を有し、表裏布地の内部に厚い不織布を圧縮した状態で封入した下側パッド部と、通気性を有する小袋内に多数の粒状宝石を移動可能に収納した重量調整部材と、を備え、前記上側及び下側パッド部の周縁部を互いに接合し、前記周縁部の一部に開口部を形成しつつ、全体を中空の軽量パッドとし、前記開口部を介して前記軽量パッドの中空内に前記重量調整部材を出し入れ可能に収納した構成としてある。
【００１７】
上記構成からなる本発明のバストパッドによれば、重量調整部材の有無により、切除した乳房の重量を補整する目的と、形状のみを補整する目的との２タイプに使い分けることが可能となる。
【００１８】
すなわち、左右乳房の重量バランスを補整したい場合は、中空の軽量パッド内に重量調整部材を収納して使用すればよい。この場合、重量調整部材の粒状宝石の量又は種類等を変更することで、使用者の好みに合った重量に調整することができる。その後、使用者の体型や好みが変化した場合でも、使用者自らが容易に重量調整を行うことが可能である。
【００１９】
ここで、「宝石」とは、鉱物の中で石にあたり希少性が高く美しい外観を有するもの、又は一般にアクセサリーなどに使用される鉱物をいう。一般的に「宝石」は、鉱物としての無機物の結晶を指し、金属やプラスチックと区別される。本発明のバストパッドでは、重量調整部材に粒状宝石を用いているので、金属アレルギーや内分泌攪乱物質による弊害がなく、人体の安全性を確保することができる。また、軽量パッドの中空内で粒状宝石が移動することにより、乳房の揺れを再現することも可能である。
【００２０】
一方、切除した乳房の形状のみを補整したい場合、例えば、日常生活でリラックスしたいときやスポーツをするときなどは、軽量パッドの中空内から重量調整部材を取り出し、軽量パッドを中空のままで使用すればよい。
【００２１】
さらに、上記以外に、本発明のバストパッドには、使用者の心の傷を癒す特別な用途がある。すなわち、本バストパッドでは、使用者自らが、好みや気分や応じた粒状宝石の種類を選択することができ、バストパッドに補整以外の付加価値をもたせることが可能となる。特に、女性に人気のある占いや風水の結果、あるいはパワーストーンとしての意味や効果に従って、粒状宝石の種類や色等を選択して身につけることで、使用者は、本バストパッドを通じて、良い結果や効果がもたらされるといわれる行いを実行することができ、使用者を楽しませたり、前向きな気持ちにさせたりすることが可能となる。
【００２２】
なお、本発明のバストパッドの用途は切除した乳房の補整に限らない。例えば、乳房を切除していない女性がバストアップを望む場合は、ブラジャーの左右カップに本バストパッドをそれぞれ収納すればばよい。特に、高齢者の場合は、重量調整部材が胸の重さを感じさせ、気持ちを若返らせる効果があり、これがアンチエイジングに貢献する。
【００２３】
好ましくは、上述した本発明のバストパッドにおいて、前記重量調整部材の粒状宝石を貴石及び／又は半貴石に分類される宝石とした構成とする。
【００２４】
ここで、「貴石(Precious stone)」とは、宝石の取引上の分類をいい、一般に、産出量が少ないダイヤモンド、ルビー、サファイア、エメラルド及びアレキサンドライトの五大宝石のほか、硬度７以上のトパーズ、ジルコン、アクアマリン、キャッツアイ、トルマリン、ガーネット及びペリドットが含まれる。その他、硬度７未満で希少性もないが、その美しさから翡翠及びオパールも一般的な「貴石」の範疇に含まれる。
【００２５】
また、「半貴石(Semi-precious stone)」には、貴石とされる以外の全ての宝石が含まれる。例えば、水晶、オニキス、アメジスト、シトリン、スピネル、ラピスラズリ、タンザナイト、クンツァイト、アイオライト、ターコイズ、ムーンストーン、ヘマタイト、タイガーアイ、マラカイト、黒曜石、ソーダライト、フローライトなどが該当する。
【００２６】
さらに、上述した貴石及び半貴石の中には、我が国の「パワーストーン(Power Stone)」に分類されるものが含まれている。この「パワーストーン」とは、我が国特有の用語であり、宝石（貴石及び半貴石）又は宝石以外の石（例えば、アンモナイトや磁石など）の中で、ある種の特殊な力が宿っているとされるものをいう。
【００２７】
好ましくは、上述した本発明のバストパッドにおいて、前記重量調整部材の小袋をメッシュ素材で形成し、その内部に収納した前記粒状宝石を視認可能とした構成とする。このような構成とすることにより、小袋内の粒状宝石の種類を容易に確認することができ、重量調整部材を交換するときに便利である。また、メッシュ素材の隙間から美しい粒状宝石を眺めることができ、使用者を楽しませることができる。
【００２８】
好ましくは、上述した本発明のバストパッドにおいて、前記重量調整部材の小袋を開閉可能とし、前記粒状宝石の増減及び交換を可能とした構成とする。このような構成とすることにより、使用者自らが粒状宝石を増減させて、容易かつ正確に重量調整部材の重量を調整することが可能となる。また、粒状宝石の種類を変更したり、種類の異なる粒状宝石を混合させたりして、使用者の多様な好みに個別対応することも可能となる。
【００２９】
好ましくは、上述した本発明のバストパッドにおいて、前記上側パッド部の薄いシート材をウレタンフォーム製とした構成とする。ウレタンフォームのシート材は、極めて軽く、乳房の膨らみを模した形状に成形しやすく、成形した形状を柔軟に保持し、変形した場合の復元性に優れている。
【００３０】
好ましくは、上述した本発明のバストパッドにおいて、前記下側パッド部の不織布を封入前の肉厚の１／２以下に圧縮して封入した構成とする。このような構成とした場合は、下側パッド部の肉厚を薄くしつつ、その弾力性を向上させることができ、本バストパッドの装着感が極めて良好となる。
【００３１】
好ましくは、上述した本発明のバストパッドにおいて、前記軽量パッドの中空内に、ボリューム調整用の他の不織布を入れた構成とする。このような構成とした場合は、重量調整部材の有無にかかわらず、本バストパッドの重量を増加させることなく、ボリュームのみを増大させることができる。また、軽量パッドの中空内に不織布を入れて本バストパッドの形状を整形し、部分切除した乳房の形状に適合させることも可能である。
【発明の効果】
【００３２】
本発明のバストパッドによれば、異なる使用目的への汎用性と個人への適合性とを有し、人体への安全性を確保すると同時に、乳房を失った女性のメンタルケアにも寄与することができる。
【図面の簡単な説明】
【００３３】
【図１】本発明の一実施形態に係るバストパッドを示す斜視図である。
【図２】同図（ａ）は上記バストパッドを示す側面図、同図（ｂ）は上記バストパッドの各構成要素を示す側面断面図である。
【図３】上記バストパッドを構成する下側パッド部の説明図である。
【図４】上記バストパッドを構成する重量調整部の説明図である。
【図５】上記バストパッドの使用方法を示す説明図である。
【図６】従来のシリコン製バストパッドを示すものであり、同図（ａ）は正面図、同図（ｂ）は背面側から見た斜視図である。
【図７】従来のウレタンフォーム製バストパッドを示すものであり、同図（ａ）は正面図、同図（ｂ）は背面側から見た斜視図である。
【発明を実施するための形態】
【００３４】
以下、本発明の一実施形態に係るバストパッドについて、図１〜５を参照しつつ説明する。
【００３５】
［本バストバットの概要］
図１及び図２（ａ）において、本実施形態のバストパッド１は、中空の軽量パッド１０の中に重量調整部材４０を出し入れ可能な構成となっている。軽量パッド１０と重量調整部材４０との重量は特に限定されないが、例えば、本バストパッド１の総重量を、平均的なＡ〜Ｅカップの乳房の１／２程度の重さに設定するならば、本バストパッド１の総重量は、概ね６０〜３００ｇ程度の範囲とすることができる。
【００３６】
より詳細に例示すると、例えば、Ａカップ：６０〜１２０ｇ、Ｂカップ：１１０〜１５０ｇ、Ｃカップ：１４０〜２００ｇ、Ｄカップ：１９０〜２８０ｇ、Ｅカップ：２５０〜３００ｇとなる。そして、軽量パッド１０は、使用者がリラックスできる範囲の重量、例えば、１０〜４０ｇ程度が好ましい。この例示の場合、重量調整部材４０の重量は、５０〜２６０ｇとなるが、後述する粒状宝石４２の増減等により、この範囲外にも調整することができる。
【００３７】
軽量パッド１０及び重量調整部材４０を上記の重量範囲に設定することにより、左右乳房の重量バランスを補整したい場合は、中空の軽量パッド１０内に重量調整部材４０を収納して使用すればよい。一方、切除した乳房の形状のみを補整したい場合、例えば、日常生活でリラックスしたいときやスポーツをするときなどは、軽量パッド１０の中空内から重量調整部材４０を取り出し、軽量パッド１０を中空のままで使用すればよい。
【００３８】
［軽量パッド］
軽量パッド１０は、図１中の前側に位置する上側パッド部２０と、その後側に位置する下側パッド部３０とからなっている。上側及び下側パッド部２０、３０の周縁部は、縫合部１３によって互いに接合してあり、また、周縁部の一部を縫合しないことで開口部１１を形成してある。図２（ａ）に示すように、この開口部１１は、軽量パッド１内の中空部１２に連通している。
【００３９】
［上側パッド部］
図２（ｂ）に示すように、上側パッド部２０は、薄いシート状のウレタンフォーム２１を、更に薄い表布地２２ａ及び裏布地２２ｂで被覆した構成としてある。ウレタンフォーム２１は、正面から見た二次元形状が楕円形となっており、三次元的には乳房の膨らみを模した形に成形されている。
【００４０】
ウレタンフォーム２１は、薄く、軽く、柔軟であり、成形された形状を保持し、少しの力で変形するが迅速に復元する性質を有している。表布地２２ａ及び裏布地２２ｂは、肌触りのよい素材、例えば、ナイロン、木綿、ポリエステル等とし、ウレタンフォーム２１の表裏面に接着するとともに、互いの周縁部を縫合部２３によって接合してある。
【００４１】
［下側パッド部］
図１に示すように、下側パッド部３０の正面から見た二次元形状は、上側パッド部２０とほぼ同じ寸法の楕円形となっている。また、図２（ｂ）に示すように、下側パッド部３０の三次元形状は、ほぼ均等な厚さの座布団状となっており、上側パッド部２０の背面側に接合されることによって、軽量パッド１内に中空部１２を形成する。
【００４２】
このような下側パッド部３０は、表布地３２ａ及び裏布地３２ｂの内部に厚い不織布３１を圧縮した状態で封入した構成となっている。不織布３１、表布地３２ａ及び裏布地３２ｂの互いの周縁部は、縫合部３３によって接合してある。
【００４３】
ここで、図３に示すように、本実施形態では、封入前の不織布３１の肉厚Ｌ１を、封入後の肉厚Ｌ２の少なくとも２倍以上とし、封入後の不織布３１が１／２以下に圧縮されるようにしてある。これにより、下側パッド部３０の肉厚を薄くしつつ、その弾力性を向上させることができ、本バストパッド１の装着感が極めて良好となる。
【００４４】
［重量調整部材］
図１に示すように、重量調整部材４０は、通気性を有する小袋４１内に多数の粒状宝石４２、４２、４２…を収納した構成となっている。粒状宝石４２は、小袋４１の容量に対してゆとりある量（満杯ではない量）としてあり、多数の粒状宝石４２が小袋４１内で移動可能となっている。
【００４５】
小袋４１には、むれを防止するために通気性の良好なメッシュ素材、例えば、ポリエステルの織物、レース生地、目の細かい樹脂網などを用いることができる。また、小袋４１のメッシュ素材を通して、内部の粒状宝石４２を視認可能とすることが好ましい。
【００４６】
図４に示すように、本実施形態では、小袋４１を面ファスナー（ex.（株）クラレの登録商標「マジックテープ」）４１ａ及び４１ｂで開閉自在とし、使用者自らが粒状宝石４２の種類や量を容易に調整できるようにしてある。なお、小袋４１を開閉自在とせずに、粒状宝石４２の種類や量などが異なる複数の重量調整部材４０を用意して交換可能としてもよい。
【００４７】
小袋４１に入れる粒状宝石４２としては、一般に「貴石」及び／又は「半貴石」に分類される宝石を用いる。「貴石」としては、産出量が少ないダイヤモンド、ルビー、サファイア、エメラルド及びアレキサンドライトの五大宝石のほか、硬度７以上のトパーズ、ジルコン、アクアマリン、キャッツアイ、トルマリン、ガーネット及びペリドットを用いる。その他の「貴石」としては、硬度７未満で希少性もないが、その美しさから翡翠及びオパールを用いてもよい。
【００４８】
一方、「半貴石」には、貴石とされる以外の全ての宝石が含まれる。「半貴石」としては、例えば、水晶、オニキス、アメジスト、シトリン、スピネル、ラピスラズリ、タンザナイト、クンツァイト、アイオライト、ターコイズ、ムーンストーン、ヘマタイト、タイガーアイ、マラカイト、黒曜石、ソーダライト、フローライトなどが該当する。
【００４９】
このような重量調整部４０の使用方法について図４を参照しつつ説明する。なお、同図において、符号４２Ａ、４２Ｂ及び４２Ｃは、互いに異なる３種類の粒状宝石であることを示している。
【００５０】
まず、第１の使用方法として、図４中のパターンＰ１及びＰ２に示すように、小袋４１内に入れる粒状宝石４２Ａの数を調整して、本バストパットの重量を使用者の好みに適合させることができる。粒状宝石４２Ａの一粒単位で本バストパットの重量を微調整することが可能であり、使用者自らが粒状宝石４２Ａを増減させることで、本バストパッドを極めて容易に好みの重さにすることができる。
【００５１】
次いで、第２の使用方法として、使用者は、その日の占いやその年の風水の結果、あるいはパワーストーンとしての意味や効果に従い、好みの種類の粒状宝石４２Ａ、４２Ｂ、４２Ｃ・・・の少なくとも１種類を選択して身につけることができる（図４中のパターンＰ３〜Ｐ５参照）。
【００５２】
ここで、第２の使用方法について、下記表１の参照しつつ具体例を説明する。表１は、各種の色に対応する占いやパワーストーン上の意味、及び各種の色を有する粒状宝石の種類を示す対照表である。但し、表１中の意味は、あくまで重量調整部４０の使用方法を説明するための例示であり、占いやパワーストーンの分野で確立しているものではない。
【００５３】
【表１】
2011160909.tif 000003
【００５４】
例えば、使用者の今日の占いの結果が「仕事運の向上」及び「ラッキーカラーは赤」であった場合、使用者は、赤い粒状宝石４２Ｂであるルビー、ガーネット又はヘマタイトを適量、小袋４１内に入れればよい（パターンＰ３）。また、使用者のその日の気分や身の回りの状況に応じて、パワーストーンの力を借りてもよい。例えば、使用者が暗い気分ならば、黄色いパワーストーンであるシトリンやトパーズの粒状宝石４２Ｃを選択し、快活な気持ちになれることを願えばよい（パターンＰ４）。さらに、風水やパワーストーンで意味や効果が定義されている複数の粒状宝石４２Ａ〜４２Ｃを、適量混合して小袋４１内に入れてもよい（パターンＰ５）。パターンＰ３〜Ｐ５のような基準に従って粒状宝石４２Ａ〜４２Ｃの種類を選択することで、本重量調整部材４０が使用者のラッキーアイテムとなる。
【００５５】
［本バストパッドの使用方法］
まず、本バストパッド１の使用目的に応じて、本重量調整部材４０の有無を選択する。本実施形態の冒頭で概説したように、左右乳房の重量バランスを補整したい場合は、使用者の好みの重さに調整した本重量調整部材４０を軽量パッド１０の中空部１２内に収納する。一方、切除した乳房の形状のみを補整したい場合、例えば、日常生活でリラックスしたいときやスポーツをするときなどは、本重量調整部材４０を使用しないで軽量パッド１０を中空のままで使用する。
【００５６】
ここで、図２（ｂ）に示すように、本重量調整部材４０の有無にかかわらず、乳房のボリュームを増大させたい場合には、軽量パッド１０の中空部１２内に、ボリューム調整用の不織布５０を入れる。これにより、本バストパッド１の重量を増加させることなく、ボリュームのみを増大させることができ、また、不織布５０によって本バストパッド１の形状を整形し、部分切除した乳房の形状に適合させることも可能である。
【００５７】
上記のように調整した本バストパッド１は、図５に示すように、ブラジャー６０のカップ６２又は６３の一方に収納して使用する。好ましくは、ブラジャー６０のカップ６２、６３内に、本バストパッド１を保持するためのバンド６３を取り付け、本バストパッド１の位置ずれや脱落を防止するとよい。
【００５８】
なお、以上は、切除した乳房を補整する目的で使用する場合について説明したが、乳房を切除していない女性がバストアップを望む場合は、ブラジャー６０の両カップ６２及び６３に本バストパッド１、１をそれぞれ収納すればばよい。
【００５９】
以上説明したように、本実施形態に係るバストパッド１によれば、重量調整部材４０の有無により、切除した乳房の重量を補整する目的と、形状のみを補整する目的との２タイプに使い分けることが可能となる。
【００６０】
また、重量調整部材４０の粒状宝石４２の量又は種類等を変更することで、使用者の好みに合った重量に調整することができる。その後、使用者の体型や好みが変化した場合でも、使用者自らが容易に重量調整を行うことが可能である。
【００６１】
さらに、本バストパッド１では、重量調整部材４０に粒状宝石４２を用いているので、金属アレルギーや内分泌攪乱物質による弊害がなく、人体の安全性を確保することができる。また、軽量パッド１０の中空部１２内で粒状宝石４２が移動することにより、乳房の揺れを再現することも可能である。
【００６２】
これに加え、本バストパッド１では、使用者自らが、好みや気分や応じた粒状宝石４２Ａ、４２Ｂ、４２Ｃ・・・の種類を選択することができ、バストパッド１に補整以外の付加価値をもたせることが可能となる。特に、女性に人気のある占いや風水の結果、あるいはパワーストーンとしての意味や効果に従って、粒状宝石４２Ａ、４２Ｂ、４２Ｃ・・・の種類や色等を選択して身につけることで、使用者は、本バストパッド１を通じて、良い結果や効果がもたらされるといわれる行いを実行することができ、使用者を楽しませたり、前向きな気持ちにさせたりすることが可能となる。
【００６３】
なお、本発明のバストパッドは上述した実施形態に限定されるものではない。例えば、本バストパッドの形状は、図面に示す正面視楕円形に限定されず、例えば、正面視が略三角形状、略半円形、略雫形など、乳がん手術の態様（部分又は全摘出）に応じて種々の形状に変更することができる。
【符号の説明】
【００６４】
１  バストパッド
１０  軽量パッド
１１  開口部
１２  中空部
１３  縫合部
２０  上側パッド部
２１  ウレタンフォーム（シート材）
２２ａ  表布地
２２ｂ  裏布地
２３  縫合部
３０  下側パッド部
３１  不織布
３２ａ  表布地
３２ｂ  裏布地
３３  縫合部
４０  重量調整部材
４１  小袋
４１ａ、４１ｂ  面ファスナー
４２、４２Ａ〜Ｃ  粒状宝石
５０  ボリューム調整用の不織布
６０  ブラジャー
６１、６２  カップ
６３  バンド
【図１】
2011160909.tif 000004
【図２】
2011160909.tif 000005
【図３】
2011160909.tif 000006
【図４】
2011160909.tif 000007
【図５】
2011160909.tif 000008
【図６】
2011160909.tif 000009
【図７】
2011160909.tif 000010